(57)【要約】【課題】  熱が蓄積され難く、さらに、偏光フィルムに所定の形状を付与することにより、光の量を調整する際に所定の形状が現れたり、消えたりする光調整複合板を提供する。【解決手段】  光調整複合板２０は、第１偏光を有する光を実質上反射し第２偏光を有する光を実質上透過する第１反射性偏光フィルムと、第１偏光を有する光を実質上透過し第２偏光を有する光を実質上反射する第２反射性偏光フィルムとが同一形状で交互に透明基板表面に配置された第１のシート２１と、第１反射性偏光フィルムと第２反射性偏光フィルムとが、同一形状で交互に透明基板表面に配置された第２のシート２２とを有する。第１のシートと第２のシートとは、第１反射性偏光フィルムと第２反射性偏光フィルムとの交互配置方向に移動可能である。【選択図】  図１
2012145888.tif 000002
【特許請求の範囲】
【請求項１】
第１偏光を有する光を実質上反射し第２偏光を有する光を実質上透過する第１反射性偏光フィルムと、第１偏光を有する光を実質上透過し第２偏光を有する光を実質上反射する第２反射性偏光フィルムとが、同一形状で交互に透明基板表面に配置された第１のシートと、
前記第１反射性偏光フィルムと前記第２反射性偏光フィルムとが、同一形状で交互に透明基板表面に配置された第２のシートとを有し、
前記第１のシートと前記第２のシートとが、前記第１反射性偏光フィルムと前記第２反射性偏光フィルムとの交互配置方向に移動可能である光調整複合板。
【請求項２】
前記第１反射性偏光フィルムと前記第２反射性偏光フィルムとを対向する様に配置した請求項１に記載の光調整複合板。
【請求項３】
前記透明基板が樹脂基板である請求項１または２に記載の光調整複合板。
【請求項４】
前記第２のシートの前記第１反射性偏光フィルムの一部と前記第２反射性偏光フィルムの一部とが所定の形状に切断されている請求項１〜３のいずれか１項に記載の光調整複合板。
【請求項５】
所定の形状に切断された前記第１反射性偏光フィルムの切断部に前記第２反射性偏光フィルムが配置され、所定の形状に切断された前記第２反射性偏光フィルムの切断部に前記第１反射性偏光フィルムが配置された前記第２のシートを有する請求項１〜４のいずれか１項に記載の光調整複合板。
【発明の詳細な説明】
【技術分野】
【０００１】
本発明は、光の量を調整する複合板に関する。より詳細には、２枚のシートの相対位置を変化させることによって光の透過量を調整する複合板を提供する。
【背景技術】
【０００２】
プライバシーの確保、部屋内の熱蓄積の削減、照明器具の明るさ調整を目的として光の透過量を調整することが従来から為されている。
【０００３】
例えば、特許文献１には平面内の軸を中心にして少なくとも一つの偏光素子を回転することによって、光の透過を制御することができるような偏光素子を含む光弁が記載されている。
【０００４】
特許文献２には、ガラス板接着部に偏光軸を所要方位に配した偏光フィルムを介装貼着してなる合せガラスの一対を近接対面せしめ、少なくとも一方の合せガラスを対面状態で移動せしめる構成としたことを特徴とする合せガラス複合体が記載されている。特許文献２に記載された偏光フィルムとしては、ポバール等の樹脂にヨードを混入、強制配向したものが用いられている。この偏光フィルムを用いた場合、一定方向に振動する光を透過し、それ以外の振動面を有する光を吸収するため、フィルム自体に熱が蓄積されるという問題があった。
【０００５】
一方、光の透過量の調整をする際に単に光量を調整するだけではなく、よりデザイン性に富んだ複合板も求められている。
【先行技術文献】
【特許文献】
【０００６】
【特許文献１】特表２００１‐５２６４０６号公報
【特許文献２】公開実用平成２−８７０３９号公報
【発明の概要】
【発明が解決しようとする課題】
【０００７】
本発明は偏光フィルム自体に熱が蓄積されるという上記課題を防ぐためになされたものである。また、複合板の軽量化を図ることもできる。
【課題を解決するための手段】
【０００８】
本発明の光調整複合板は、第１偏光を有する光を実質上反射し第２偏光を有する光を実質上透過する第１反射性偏光フィルムと、第１偏光を有する光を実質上透過し第２偏光を有する光を実質上反射する第２反射性偏光フィルムとが同一形状で交互に透明基板表面に配置された第１のシートと、前記第１反射性偏光フィルムと前記第２反射性偏光フィルムとが、同一形状で交互に透明基板表面に配置された第２のシートとを有し、前記第１のシートと前記第２のシートとが、前記第１反射性偏光フィルムと前記第２反射性偏光フィルムとの交互配置方向に移動可能である。
【図面の簡単な説明】
【０００９】
【図１】本発明の１つの実施の形態に係る第１のシートの斜視図を模式的に示した図である。
【図２】本発明の１つの実施の形態に係る光調整複合板の断面を模式的に示した図である。
【図３】図２の第２のシートを第１および第２反射性偏光フィルムの交互配置方向に移動させた模式図である。
【図４】本発明の１つの実施の形態に係る第２のシートの正面図を模式的に示した図である。
【図５】本発明の１つの実施の形態に係る光調整複合板の断面を模式的に示した図である。
【図６】図５の第２のシートを第１および第２反射性偏光フィルムの交互配置方向に移動させた模式図である。
【図７】本発明の１つの実施の形態に係る第２のシートの正面図を模式的に示した図である。
【図８】本発明の１つの実施の形態に係る光調整複合板の断面を模式的に示した図である。
【図９】図８の第２のシートを第１および第２反射性偏光フィルムの交互配置方向に移動させた模式図である。
【図１０】光調整複合板を図２の観察者２６の位置から撮影した写真である。
【図１１】光調整複合板を図３の観察者２６の位置から撮影した写真である。
【図１２】光調整複合板を図５の観察者２６の位置から撮影した写真である。
【図１３】光調整複合板を図６の観察者２６の位置から撮影した写真である。
【図１４】光調整複合板を図８の観察者２６の位置から撮影した写真である。
【図１５】光調整複合板を図９の観察者２６の位置から撮影した写真である。
【発明を実施するための形態】
【００１０】
本発明の光調整複合板の一実施の形態について、以下図面とともに説明する。
【００１１】
第１のシート１０では、第２偏光を有する光を実質上透過する方向に透過軸１１を有する第１反射性偏光フィルム１３は短冊状に切断され、透明基板１５の表面に配置されている。第１偏光を有する光を実質上透過する方向に偏光透過軸１２を有する第２反射性偏光フィルム１４は、第１反射性偏光フィルムと同じ短冊状に切断され、透明基板１５の表面に配置されている。これらの第１反射性偏光フィルムと第２反射性偏光フィルムとは交互に配置されている。これらは接着剤層１６を介して透明基板１５の表面に配置されてもよい。
【００１２】
反射性偏光フィルムとしては、少なくとも２種類の高分子フィルムの積層体、コレステリック液晶からなるフィルムと４分の１波長板との積層一体品、微細な凹凸を有するワイヤーグリッド構造品等が用いられる。例えば日東電工株式会社製  商品名ＮＩＰＯＣＳ（登録商標）、Ｍｏｘｔｅｋ社製  商品名ＰｒｏＦｌｕｘ（登録商標）、３Ｍ社製  商品名ＤＢＥＦ−Ｑ等を用いることができる。厚さは特に限定するものではないが、２０マイクロメートルから５００マイクロメートルのものを用いてもよい。
【００１３】
透明基板としては、ガラス板、樹脂基板（ポリカーボネート板、アクリル板等）等を用いることができるが、透明基板の光透過率は８０％以上であることが好ましい。より軽量の光調整複合板が必要な場合、ガラス板を用いず、樹脂基板としてもよい。
【００１４】
また、軽量化を図るため、本発明では反射性偏光フィルムは２枚の透明基板の間に介装貼着された構造をとっていない。１枚の透明基板に貼り付けられた構造とすることで、透明基板２枚を必要とする介装貼着構造に比べて軽くなっている。
【００１５】
第１反射性フィルムの透過軸１１と第２反射性フィルムの透過軸１２とは直交する方向に配置するのが好ましい。透過軸どうしが直交することで全方向の光を反射することができるからである。
【００１６】
なお、本明細書で実質上反射するとは、入射される一定の振動面を有する光に対し８０％以上、好ましくは９０％以上の光が反射されることをいう。実質上透過するとは、入射される一定の振動面を有する光に対し８０％以上、好ましくは９０％以上の光が透過されることをいう。
【００１７】
この透過率、反射率は、たとえば島津製作所製分光光度計ＭＰＣ−３１００を用いて測定される。偏光フィルムを通した際の透過率を１００％とし、次に偏光フィルムの後に、その偏光フィルムと同様の透過軸になるように反射性偏光フィルムをセットし、透過率を測定する。また、前述した偏光フィルムと透過軸が直交するように反射性偏光フィルムをセットし、その透過率のデータから反射率を試算する。
【００１８】
第２のシートは第１のシートと同様にして作製してもよいし、第１反射性偏光フィルムと第２反射性偏光フィルムとを逆に配置する様にして作製してもよい。
【００１９】
第１のシートと第２のシートは透明基板同士が対向するように配置することもできるし、透明基板と反射性偏光フィルムとが対向するように配置することもできるが、図２に示されるように、反射性偏光フィルム同士が対向するように配置してもよい。内側に反射性偏光フィルムが配置されるため、耐候性が高く、反射性偏光フィルムが透明基板からはがれ難いという利点があるからである。また、特に透明基板としてガラス板ではなく樹脂基板を用いる際は、偏光が崩れ難い樹脂を調整する必要があり、その調整が困難であったが、反射性偏光フィルム同士が対向する配置をとることで、反射性偏光フィルム同士の間に透明基板が存在しないため透明基板によって偏光が崩されないという利点もある。
【００２０】
図２には、同様にして作製された第１のシート２１と第２のシート２２とを、反射性偏光フィルム２３同士が対向するように配置した光調整複合板２０が記載されている。図２の様に重ね合わせた場合、第１のシート２１と第２のシート２２との反射性偏光フィルム２３同士の透過軸が揃っているため、この透過軸と平行の振動面を持つ光２５は透過し、観察者２６から見ると光調整複合板２０の下に置かれたカード２４の文字「Ｌｉｇｈｔ  Ｃｏｎｔｒｏｌ  Ｗｉｎｄｏｗ」を読み取ることができる。
【００２１】
図３には、上記第２のシート２２を第１のシート２１に対して平行に短冊状の反射性偏光フィルムの幅だけ移動させた光調整複合板３０が記載されている。この場合、異なる透過軸を有する反射性偏光フィルム同士が重なるため、一定の振動面を持つ光２７は第１のシート２１を透過した後、第２のシート２２で反射され、観察者２６から見ると光調整複合板３０の下に置かれたカード２４の文字「Ｌｉｇｈｔ  Ｃｏｎｔｒｏｌ  Ｗｉｎｄｏｗ」を読み取ることができない。
【００２２】
なお、反射性偏光フィルムは同一形状であれば短冊状の他、楕円、円、三角等様々な形状としてもよい。短冊状の場合、図１のように第１反射性偏光フィルムと第２反射性偏光フィルムとの長辺部分を接して配置すれば透明樹脂基板表面のほぼ全てを覆うことになるが、楕円、円、三角等は交互に配置しても透明樹脂基板表面の一部を覆うことになる。これらのように、同一形状で交互に配置しても透明樹脂基板表面の一部しか覆わない形状の反射性偏光フィルムを用いることで、第１のシートと第２のシートとを交互配置方向に移動させたときに、これら楕円、円、三角等の形状が観察されたり、されなかったりする。このため、デザイン性に富んだ複合板を提供することができる。
【００２３】
次に、本発明の光調整複合板の別の実施の形態について以下図面とともに説明する。
【００２４】
第１のシート２１は上記と同様に作製される。第２のシート４０は図４に記載されるように、交互に配置された第１反射性偏光フィルム４３と第２反射性偏光フィルム４４の一部４５が所定の形状（星型）に切断されている。
【００２５】
図５には、第１のシート２１と第２のシート４０とを反射性偏光フィルム同士が対向するように配置した光調整複合板５０が記載されている。この場合、第１のシート２１と第２のシート４０との反射性偏光フィルム同士が重なっている部分５１は反射性偏光フィルム同士の透過軸が揃っているため一定の振動面を持つ光５３は透過し、第１のシート２１の反射性偏光フィルムのみが存在する部分５２も一定の振動面を持つ光５４は透過する。どちらも光を透過するため、所定の形状（星型）は観察されない。
【００２６】
上記第２のシート４０を第１のシート２１に対して平行に短冊状の反射性偏光フィルムの幅だけ移動させた光調整複合板６０（図６）では、異なる透過軸を有する反射性偏光フィルム同士が重なる部分６１において一定の振動面を持つ光６４は第１のシート２１を透過した後、第２のシート４０で反射される。一方、第１のシート２１の反射性偏光フィルムのみが存在する部分６２において一定の振動面を持つ光６３は透過する。これにより、光調整複合板上で光の透過する部分と反射する部分とが出来るため、所定の形状（星型）が観察される。
【００２７】
さらに、本発明の光調整複合板の別の実施の形態について以下図面とともに説明する。
【００２８】
第１のシート２１は上記と同様に作製される。図７に示すように第２のシート７０は上記と同様に反射性偏光フィルムの一部が所定の形状（星型）に切断され、さらに、第１反射性偏光フィルムが切断された部分には第２反射性偏光フィルム７１が配置され、第２反射性偏光フィルムが切断された部分には第１反射性偏光フィルム７２が配置されている。
【００２９】
図８には、第１のシート２１と第２のシート７０とを反射性偏光フィルム同士が対向するように配置した光調整複合板８０が記載されている。この場合、第１のシート２１と第２のシート７０との反射性偏光フィルム同士の透過軸が揃っている部分８１では一定の振動面を持つ光８３は透過し、第２のシート７０で別の反射性偏光フィルムが配置された部分８２では一定の振動面を持つ光８４は第１のシート２１を透過した後、第２のシート７０では反射するため、所定の形状（星型）が観測される。
【００３０】
上記第２のシート７０を第１のシート２１に対して平行に短冊状の反射性偏光フィルムの幅だけ移動させた光調整複合板９０（図９）では、異なる透過軸を有する反射性偏光フィルム同士が重なる部分９１において一定の振動面を持つ光９３は第１のシート２１を透過した後、第２のシート７０で反射される。一方、第２のシート７０で別の反射性偏光フィルムが配置された部分９２において一定の透過軸を持つ光９４は透過する。これにより、光調整複合板上で光の透過する部分と反射する部分とが出来るため、所定の形状（星型）が観察される。
【００３１】
所定の形状については星型の他、円、三角、四角、その他本発明の効果を損なわない限り様々な形状をとることができる。
【実施例】
【００３２】
以下に本発明の実施例を示すが、本発明はこれらに限定されるものではない。
実施例１
１５０ｍｍ×２００ｍｍ×１．５０ｍｍのアクリル板に、１５０ｍｍ×２００ｍｍ×０．０２７ｍｍのアクリル系粘着剤をラミネートした。
【００３３】
次に、反射性偏光フィルム（３Ｍ社製  製品名：ＤＢＥＦ−Ｑ）を透過軸が長辺方向になるように短冊状（１５０ｍｍ×２５ｍｍ）に切断し、これを粘着剤層の表面にラミネートした（第１反射性偏光フィルム）。
【００３４】
透過軸が短辺方向になるように反射性偏光フィルムを切断した以外は上記と同様にして反射性偏光フィルムを上記第１反射性偏光フィルムの長辺側と接するように粘着剤層の表面にラミネートした（第２反射性偏光フィルム）。
【００３５】
同様にして第１反射性偏光フィルムと第２反射性偏光フィルムの長辺同士が接するように交互にラミネートして第１のシートを得た。
【００３６】
第２のシートも上記第１のシートと同様にして作製し、図２のように反射性偏光フィルム同士が対向しそれぞれの反射性偏光フィルムの透過軸同士が揃うように、第１のシートと第２のシートとを配置し、本実施例の光調整複合板を作製した。この光調整複合板を図２の観察者２６の位置から撮影した写真を図１０に示す。光が透過するため下に配置したカードの文字が読めた。
【００３７】
次に、図３のように第１反射性偏光フィルムと第２反射性偏光フィルムとの交互配置方向に第１のシートを２５ｍｍ（短冊状の反射性偏光フィルムの幅）移動させた。この光調整複合板を図３の観察者２６の位置から撮影した写真を図１１に示す。異なる透過軸を有する反射性偏光フィルム同士が重なるため光は反射され、観察者２６からは下に置かれたカードの文字を読み取ることができず光が反射されるため鏡面が観察された。
【００３８】
実施例２
実施例１と同様にして第１のシートを作製した。図４に記載されるように第１反射性偏光フィルムと第２反射性偏光フィルムとの一部を星型に切断した以外は実施例１と同様にして第２のシートを作製した。
【００３９】
図５のように反射性偏光フィルム同士が対向しそれぞれの反射性偏光フィルムの透過軸同士が揃うように第１のシートと第２のシートとを配置し、本実施例の光調整複合板を作製した。この光調整複合板を実施例１と同様に撮影した写真を図１２に示す。第１のシートと第２のシートとの反射性偏光フィルム同士の透過軸が揃っている部分では光は透過し、第１のシートの反射性偏光フィルムのみが存在する部分も光は透過するため、星型は観察されなかった。
【００４０】
次に、図６のように第１反射性偏光フィルムと第２反射性偏光フィルムとの交互配置方向に第１のシートを２５ｍｍ（短冊状の反射性偏光フィルムの幅）だけ移動させた。この光調整複合板を実施例１と同様に撮影した写真を図１３に示す。異なる透過軸を有する反射性偏光フィルム同士が重なる部分において光は反射され、第１のシートの反射性偏光フィルムのみが存在する部分において光は透過するため、光調整複合板上で光の透過する部分と反射する部分とが出来、星型が観察された。
【００４１】
実施例３
実施例１と同様にして第１のシートを作製した。図７に記載されるように第１反射性偏光フィルムと第２反射性偏光フィルムとの一部を星型に切断し、第１反射性偏光フィルムが切断された部分には第２反射性偏光フィルムを、第２反射性偏光フィルムが切断された部分には第１反射性偏光フィルムを配置した以外は実施例１と同様にして第２のシートを作製した。
【００４２】
図８のように反射性偏光フィルム同士が対向しそれぞれの反射性偏光フィルムの透過軸同士が揃うように第１のシートと第２のシートとを配置し、本実施例の光調整複合板を作製した。この光調整複合板を実施例１と同様に撮影した写真を図１４に示す。第１のシートと第２のシートとの反射性偏光フィルム同士の透過軸が揃っている部分では光は透過し、第２のシートで別の反射性偏光フィルムが配置された部分では光は反射するため、星型が観察された。
【００４３】
次に、図９のように第１反射性偏光フィルムと第２反射性偏光フィルムとの交互配置方向に第１のシートを２５ｍｍ（短冊状の反射性偏光フィルムの幅）だけ移動させた。この光調整複合板を実施例１と同様に撮影した写真を図１５に示す。異なる透過軸を有する反射性偏光フィルム同士が重なる部分において光は反射する。一方、第２のシートで別の反射性偏光フィルムが配置された部分において光は透過する。これにより、光調整複合板上で光の透過する部分と反射する部分とが出来るため、星型が観察された。
【符号の説明】
【００４４】
１０、２１  第１のシート
２２、４０、７０  第２のシート
１３、４３  第１反射性偏光フィルム
１４、４４  第２反射性偏光フィルム
１５  基板
２０、３０、５０、６０、８０、９０  光調整複合板
【図１】
2012145888.tif 000003
【図２】
2012145888.tif 000004
【図３】
2012145888.tif 000005
【図４】
2012145888.tif 000006
【図５】
2012145888.tif 000007
【図６】
2012145888.tif 000008
【図７】
2012145888.tif 000009
【図８】
2012145888.tif 000010
【図９】
2012145888.tif 000011
【図１０】
2012145888.tif 000012
【図１１】
2012145888.tif 000013
【図１２】
2012145888.tif 000014
【図１３】
2012145888.tif 000015
【図１４】
2012145888.tif 000016
【図１５】
2012145888.tif 000017